(57)【特許請求の範囲】
【請求項１】
フロント部の両側に継手を介して折畳み出来るように取付けたツルが、メガネを掛ける際に開いた状態からバネ力の作用下で外方向へ僅かに押し開くことが出来るメガネフレームのツル継手構造において、ツル端部には概略コ型断面で表面には装飾を施した摺動体を取付けて摺動可能とし、そしてツル端部と摺動体の間に形成した収容部にはコイルバネなどの弾性体を収容し、摺動体の押え部とツル端部の受け部とで弾性体の両端を挟み込み、摺動体の端面をフロント部のヨロイ先端に当接し、ツルを押し開く場合には摺動体は後退して弾性体を圧縮し、しかも上記摺動体の後方端には切欠き部を形成し、ツル端部の後方端のストッパーが上記切欠き部に嵌合して摺動体の後退移動を規制するようにし、ツルを折畳む場合には継手外周に沿ってツルと共に旋回することを特徴とするツルの継手構造。
【発明の詳細な説明】
【技術分野】
【０００１】
本発明はメガネフレームのツルを折畳み可能に連結すると共に、開いた状態から外方向へ僅かに押し開くことが出来るようにし、しかもツルに装飾性を備えたメガネフレームのツル継手構造に関するものである。
【背景技術】
【０００２】
メガネフレームはレンズを備えたフロント部と該フロント部に取付けられて折畳むことが出来るツルから成っている。メガネを顔に掛ける場合、ツルはその先端が耳に係止するが、顔の側面に密着して軽い運動をしてもフロント部が位置ズレしないように該ツルにバネ力を付勢して安定させるようにする継手構造とする場合も多く、この継手構造は従来からバネ蝶番と称されている。
【０００３】
図７には最も基本的なバネ蝶番と称されるツル継手構造を示している。すなわち、該バネ蝶番の基本的な考えは、ヨロイ（イ）には固定蝶片（ロ）をロウ付け固定し、他方の蝶片を摺動蝶片（ハ）として一定距離の摺動を許すことによって外方向への開きをツル（ニ）に与えることが出来る。
【０００４】
ツル（ニ）にはガイド溝が形成され、摺動蝶片（ハ）はガイド溝を案内として摺動する訳であるが、上記摺動蝶片（ハ）の内部空洞にはコイルバネ（ホ）が収まっていて、ツル（ニ）を外ヘ開く際には摺動蝶片（ハ）が固定蝶片（ロ）側へ引張られて圧縮される。該コイルバネ（ホ）は摺動蝶片（ハ）の内部空洞入口に設けられてツル（ニ）の溝穴（ヘ）に係止したツメ（ト）に当たり、該ツメ（ト）はストッパーとして機能している。その結果、コイルバネ（ホ）の復元力がツル（ニ）に作用して、該ツル（ニ）を元の位置に戻そうとする。
【０００５】
ところで、上記摺動蝶片（ハ）にコイルバネ（ホ）を内蔵した蝶番構造は同図に示すごとく複雑であり、したがって製作工数も増大し、コスト的には高価なバネ付き蝶番と成ってしまう。しかも構造が複雑化している為に故障し易く、一旦故障すれば修理し難い等の問題もある。摺動蝶片（ハ）の内部空洞にコイルバネ（ホ）と芯金を押し込んでツメ（ト）に係止するならば、該ツメ（ト）並びにコイルバネ（ホ）を取り外すことが出来ない。
【０００６】
すなわち、ツメ（ト）は摺動蝶片（ハ）のガイドに拘束された状態でツメ（ト）の係止片（チ）が溝穴（ヘ）に嵌入し、芯金の頭（リ）はバネ力をもってツメ（ト）に当接し、係止片（チ）を溝穴（ヘ）へ押し込む力が働くことになる。従って、このツメ（ト）を摺動蝶片（ハ）から取外すことが出来なくなると同時に、修理は不能となる。
【０００７】
勿論、バネ蝶番と同じ機能を果たすことが出来る継手構造は他にも色々あって、メガネを掛けた際にツルは顔側面から頭部にかけてフィットする。しかし、従来の継手構造は一般的に複雑であると共に組み付けが面倒であり、その為に修理が容易でない。すなわち、普通のツルを連結する組み付け作業とは異なる。上記図７に示すバネ蝶番を取付ける場合には、ツル（ニ）には摺動蝶片（ハ）が摺動するガイドを設ける必要があり、そしてコイルバネ（ホ）及び芯金を挿入し、ツメ（ト）を嵌めなくてはならず、一般的な蝶番を介してツルを取付けるように簡単ではない。特開平２−３０４４１５号に係る「眼鏡用ばねつき蝶番」は、上記のバネ蝶番に関する従来の公知文献である。
【０００８】
特開平１１−２７８４号に係る「連結部の構造」は、バネ蝶番としての機能を備えた他の具体例であり、二つの部材を相対的に回動可能に連結するとともに、移動部材を付勢部材の付勢力に抗する方向に押圧する分力を一方の部材に作用させることによって、一方の部材を回動方向に押圧することが出来る。
【０００９】
すなわち、 一方の部材の連結部に溝を設けて、この溝によって移動部材を移動可能に案内するとともに、溝内に付勢部材を設けて移動部材を付勢可能とする。他方の部材の連結部に、一方の部材が他方の部材に対して所定の角度以上に回動した場合に、移動部材を付勢部材の付勢力に抗する方向に押圧する駒部を設ける。他方の部材の駒部によって移動部材を付勢部材の付勢力に抗する方向に押圧すると、その分力が一方の部材に作用し、一方の部材が回動方向に押圧されることになる。しかし、このバネ蝶番の構造も複雑であると共にメガネフレームとしての組立てが容易でない。
【特許文献１】特開平２−３０４４１５号に係る「眼鏡用ばねつき蝶番」
【特許文献２】特開平１１−２７８４号に係る「連結部の構造」
【発明の開示】
【発明が解決しようとする課題】
【００１０】
このように、バネ蝶番機能を備えた従来のツル継手構造には上記のごとき問題がある。本発明が解決しようとする課題はこれら問題点であり組立を簡単に行うことが出来ると共に、従来のバネ蝶番としての機能を備え、さらに装飾性を具備できるように構成されるメガネフレームのツル継手構造を提供する。
【課題を解決するための手段】
【００１１】
本発明に係るツル継手構造は、フロント部に蝶番などの継手を介してツルが連結し、該ツルは折畳むことが出来るように成っている。そして、ツルの継手側となるツル端部にはコイルバネなどの弾性体を収容する収容部を設け、この収容部に弾性体を収容し、該弾性体を被覆する摺動体をツルに取付けている。ここで、摺動体にも弾性体が収容される収容部を形成し、摺動体が摺動することで収容した弾性体が圧縮されるように、該摺動体には押え部を設けている。ツルに形成した収容部には弾性体の受け部を形成している。
【００１２】
ところで、摺動体は概略コ形断面をなして弾性体を被覆すると共に、該ツルに沿って摺動することが出来るように、摺動体にはガイド面を形成している。そして、摺動体はメガネフレームの装飾部材として機能し、その為に、外側面には色々な装飾を施している。
【発明の効果】
【００１３】
本発明のツル継手構造は、ツルの継手側となるツル端部にコイルバネなどの弾性体を収容して摺動体を取付けた簡単な構造であり、その組立ても容易である。すなわち、コ型断面の摺動体をツル端部に嵌めて該ツルをヨロイ側の継手部を連結することで組付け出来る。その為に、故障することは殆どないが、仮に故障した際にはフロント部のヨロイから分離することで補修することが出来る。
【００１４】
ところで、ツルを開いた状態から外方向へ押し開くならば、摺動体の端面がヨロイ先端に当って押戻される為に、収容した弾性体は圧縮してツルをもとの位置に押戻す弾性力が付勢される。この弾性力によってツルは顔側面に押圧力をもって接し、その為に着用したメガネは安定する。一方、該摺動体の外側面や上下面には装飾が施されているが、その為にメガネを購入するに当って、好みの装飾・デザインを施した摺動体を選ぶことが出来、また、後日別の摺動体と交換することも可能となる。
【図面の簡単な説明】
【００１５】
【図１】本発明のツル継手構造を備えたメガネフレーム。
【図２】本発明のツル継手構造を示す外観図で、（ａ）は平面図、（ｂ）は正面図。
【図３】（ａ）はツルを折畳んだ状態、（ｂ）はツルを外方向へ押し開いた状態。
【図４】コイルバネを収容した継手の内部構造。
【図５】ツル端部を示す具体例。
【図６】摺動体の具体例。
【図７】従来のバネ蝶番機能を備えたツル継手構造。
【発明を実施するための形態】
【００１６】
図１は本発明のツル継手構造を備えたメガネフレームを示す具体例であり、同図の１はフロント部、２はレンズが嵌るリム、３はヨロイ、４は連結部材、５は鼻当てパット、６はツル、７は摺動体を夫々表している。両リム２，２は連結部材４にて連結され、フロント部１の両側には概略Ｌ形のヨロイ３，３がロウ付けされており、該ヨロイ３，３にはツル６，６が折畳み出来るように蝶番８，８を介して取付けられている。本発明はこのツル６，６を折畳みすることが出来ると共にツル６，６を同図に示すように開いた状態から僅かに外方向へ押し開くことを可能としたツルの継手構造である。
【００１７】
ところで、本発明のツル継手構造は、ヨロイ先端にロウ付けした蝶番を介してツル６が連結し、そして、該蝶番８に接するように摺動体７が取付けられている。ツル６と摺動体７との間に形成した収容部にはコイルバネが収容され、ツル６を外方向へ押し開くならば、摺動体７の端面がヨロイ先端に当接していることで押戻される。その結果、収容部のコイルバネは圧縮されてツル６を元の位置に押戻すバネ力が作用する。このバネ力はメガネを着用した場合に、ツル６が顔の側面に押圧力として作用し、メガネは位置ズレすることなく安定する。
【００１８】
図２は本発明のツル継手構造を示し、（ａ）は平面図、（ｂ）は正面図を表している。ツル６には上記摺動体７が取付けられて、該ツル６に沿って摺動可能と成っており、内部に形成した収容部にコイルバネが収容され、該摺動体７を蝶番側へ押し当てるバネ力が付勢している。蝶番８はヨロイ３にロウ付けした蝶片９ａとツル６にロウ付けした蝶片９ｂが軸ネジ１０にて繋がれ、摺動体７は蝶片９ａに接している。
【００１９】
そして、摺動体７の外側面１１は装飾されている。ここで、装飾の具体的な形態は問わないが、図形や模様を印刷したり、またメッキや塗装を施すことも出来る。時には宝石などの別部品を取付ける場合もある。装飾体７は例えば鋳造やインジェクション成形され、その断面を概略コ形としてツル６に取付けることが出来、ツル６とは別部材で構成することでメガネを購入するに際して好きな装飾を施した摺動体７を選ぶことが出来る。その為に、ツル６には装飾を施す必要はなく、装飾された摺動体７をツルに取付けることでその効果は大きい。
【００２０】
図３（ａ）はツル６を折畳んだ場合、図３（ｂ）はツル６を外方向へ押し開いた場合である。ツル６を折畳むときは、蝶片９ａの滑らかな外周面１２に沿って摺動体７はツル６と共に旋回し、該摺動体７はツル６に沿って移動することはない。従って、摺動体７の内部に収容しているコイルバネが圧縮されることはなく、ツル６は従来のメガネフレームのように折畳まれる。
【００２１】
一方、ツル６を外方向へ押し開く場合、摺動体７は同図のように右方向へ移動する。すなわち、端面１３がヨロイ先端に当接して摺動体７は後退することが出来、後退と同時に収容されているコイルバネが圧縮変形し、その結果、ツル６を元の位置に押戻すバネ力が付勢され、メガネを着用した際にはツル６は顔の側面に所定の押圧力をもって接するようになる。
【００２２】
図４は摺動体７の内部構造を示している。このように、ツル側と摺動体側に収容部を形成し、この収容部にコイルバネ１４が収容され、このコイルバネ１４は摺動体７が右方向へ移動するならば圧縮変形することが出来る。ところで、この摺動体７は概略コ型断面を有し、他の蝶片９ａと分離した状態の蝶片９ｂの方向から挿入され、ツル６に嵌ることが出来る。
【００２３】
すなわち、ツル６の端部に形成した収容部にコイルバネ１４をセットした状態で摺動体７を蝶片９ｂの方向から挿入し、摺動体７を挿入した段階で該蝶片９ｂは他の蝶片９ａと軸ネジ１０を介して連結する。蝶片９ａは上記蝶片９ｂを挟み込むように連結されることで、摺動体７の内曲面２５は蝶片９ａに当接し、該摺動体７がツル６から外れることはない。
【００２４】
図５はコイルバネ１４及び摺動体７を取付けていない場合のツル端部１５を示している。同図の１６は収容部、１７はバネ受け部を表している。上記収容部１６はツル端部１５の外面側に形成され、この収容部１６にコイルバネ１４が収容されると共にコイルバネ１４の一端はバネ受け部１７に当接する。その為に、バネ受け部１７は外面１８より突出している。そして、ツル端部１５の内面１９には上記蝶片９ｂがロウ付けされている。
【００２５】
図６は上記摺動体７を示す具体例である。同図に示すように、その形状は概略コ型断面を有し、両ガイド片２０，２０の間にはガイド溝２１を形成している。摺動体７の作り方は限定しないが、一般には鋳造したりインジェクション成形にて製作することが出来、摺動体７の外側面１１、又は上面、下面には適当な装飾が施されている。そして、このガイド溝２１の一部はコイルバネ１４の一部が収容される収容部２２と成っている。ガイド溝２１の一方端にはバネ押え部を有し、他端には切欠き部２４を形成している。
【００２６】
このバネ押え部２３は、ツル端部１５の収容部１６に収容したコイルバネ１４の端が当って押圧する部位であり、上記ツル端部１５に突出して設けたバネ受け部１７とでコイルバネ１４の両端を挟み込んで圧縮することが出来る。すなわち、前記図３に示すように、ツル６を外方向へ押し開くならば、摺動体７は後退し、バネ押え部２３によってコイルバネ１４は押圧されて圧縮変形する。
【００２７】
摺動体７の後方端に設けた切欠き部２４はツル端部１５の後方端に形成したストッパー２６が嵌る溝である。ツル６を外方向へ押し開くならば、前記図３（ｂ）に示すように該摺動体７は後退、ストッパー２６は切欠き部２４の溝底に当接してツル６の開き度を規制している。
【符号の説明】
【００２８】
１  フロント部
２  リム
３  ヨロイ
４  連結部材
５  鼻当てパット
６  ツル
７  摺動体
８  蝶番
９  蝶片
10  軸ネジ
11  外側面
12  外周面
13  端面
14  コイルバネ
15  ツル端部
16  収容部
17  バネ受け部
18  外面
19  内面
20  ガイド片
21  ガイド溝
22  収容部
23  バネ押え部
24  切欠き部
25  内周面
26  ストッパー
【図１】
0005529192.tif 000002
【図２】
0005529192.tif 000003
【図３】
0005529192.tif 000004
【図４】
0005529192.tif 000005
【図５】
0005529192.tif 000006
【図６】
0005529192.tif 000007
【図７】
0005529192.tif 000008